(57)【要約】【課題】  デジタル放送等のデジタル放送を記録し、記録されたデータのデータ編集作業にともなう負担感がより軽減されたデータ記録装置を提供する。また、高画質な編集データの再生や使い勝手を考慮したデータ記録装置を提供する。【解決手段】  デジタル放送を記録するデータ記録装置において、トランスポートストリーム（ＴＳ）形式データとして外部から入力されたストリームデータを記録媒体に記録するための記録手段を備えるとともに、ＴＳ形式のデータに基づいてプログラムストリーム（ＰＳ）形式のデータを生成し、生成されたＰＳ形式のデータをも記録媒体に同時に記録する記録手段を備え、  ＰＳ形式のデータを編集する際には、該編集情報が、ＴＳ形式のデータ再生時に反映されるようにした。【選択図】図１
2006086670.tif 000002
【特許請求の範囲】
【請求項１】
外部から入力されたコンテンツを第１のデータとして記録媒体に記録する第１の記録手段と、
前記第１のデータから形式の異なる第2のデータを生成する生成手段と、
前記第2のデータを前記記録媒体に記録する第2の記録手段と、
前記コンテンツを再生する場合に前記第１のデータを前記記録媒体から出力するように制御し、前記再生以外の場合に前記第２のデータを前記記録媒体から出力するように制御する制御手段とを備えたことを特徴とするデータ記録装置。
【請求項２】
前記再生以外の場合が、少なくともコンテンツの編集もしくはコンテンツのダビングのいずれか一方を含むことを特徴とする請求項１記載のデータ記録装置。
【請求項３】
前記第1のデータが、ＭＰＥＧ−ＴＳ形式で記録され、
前記第2のデータが、ＭＰＥＧ−ＰＳ形式で記録されたことを特徴とする請求項１もしくは２に記載のデータ記録装置。
【請求項４】
外部から入力されたコンテンツを第１の多重形式のストリームデータとして記録媒体に記録する第一の記録手段と、
前記第１の多重形式のストリームデータから、前記第１の多重形式とは異なる第２の多重形式のストリームデータを生成する生成手段と、
前記第２の多重形式のストリームデータを前記記録手段に記録する第２の記録手段と、
前記第２の多重形式のストリームデータを編集する編集手段と、
前記コンテンツを再生する場合に前記第１の多重形式のストリームデータを前記記録媒体から出力するように制御し、前記コンテンツを編集もしくはダビングする場合に前記第２の多重形式のストリームデータを前記記録媒体から出力するように制御する制御手段とを備えたことを特徴とするデータ記録装置。
【請求項５】
外部から入力されたコンテンツを第１の多重形式のストリームデータとして記録媒体に記録する第一の記録手段と、
前記第１の多重形式のストリームデータから、前記第１の多重形式とは異なる第２の多重形式のストリームデータを生成する生成手段と、
前記第２の多重形式のストリームデータを前記記録手段に記録する第２の記録手段と、
前記第２の多重形式のストリームデータを編集する編集手段と、
前記編集手段にて行われた前記第２の多重形式のストリームデータの編集結果を前記第１の多重形式のストリームデータに反映する反映手段とを備えたことを特徴とするデータ記録装置。
【請求項６】
外部から入力された第１のデータと該第１のデータの編集情報とを記録媒体に記録する第１の記録手段と、
前記第１のデータから形式の異なる第２のデータを生成する生成手段と、
前記第２のデータと該第２のデータの編集情報とを前記記録媒体に記録する第2の記録手段と、
前記第２のデータを編集する編集手段と、
該第２のデータの編集結果に基づき前記第２のデータの編集情報を書き換える第１の書換手段と、
前記書換手段によって書き換えられた前記第2のデータの編集情報に基づいて、前記第1のデータの編集情報を書き換える第２の書換手段とを備えたことを特徴とするデータ記録装置。
【請求項７】
前記第２の書換手段によって書き換えられた前記第1のデータの編集情報に基づいて、前記第１のデータを再生することを特徴とする請求項６記載のデータ記録装置。
【請求項８】
前記第1の多重形式が、ＭＰＥＧ−ＴＳ形式であり、
前記第2の多重形式が、ＭＰＥＧ−ＰＳ形式であることを特徴とする請求項４もしくは５記載のデータ記録装置において、
【請求項９】
前記第１のデータに編集情報を付加する第1の編集情報付加手段と、
前記第2のデータに編集情報を付加する第2の編集情報付加手段とを備えたことを特徴とする請求項６もしくは７記載のデータ記録装置。
【請求項１０】
前記第１の多重形式のストリームデータの編集情報が、少なくとも前記第１の多重形式のストリームデータ中のチャプタとチャプタの境界の位置を示す情報を含むことを特徴とする請求項４もしくは５記載のデータ記録装置。
【請求項１１】
前記第１の多重形式のストリームデータの編集情報が、少なくともストリームの再生時に前記第１の多重形式のストリームデータ中のチャプタをスキップするかどうかを示す情報を含むことを特徴とする請求項４もしくは５記載のデータ記録装置。
【請求項１２】
ＭＰＥＧ−ＴＳ形式で多重化されたストリームデータに対して編集情報を付加する編集情報付加手段と、
前記ストリームデータを編集する編集手段と、
前記編集手段にて編集された情報を前記編集情報に書き込む書込み手段と、
前記ストリームデータと前記編集情報とを記録する記録手段とを備えたことを特徴とするデータ記録装置。
【請求項１３】
前記第1の編集情報から削除されたチャプタに関し、前記第2の編集情報が該チャプタをスキップするスキップ情報を有することを特徴とする請求項６記載のデータ記録装置。
【発明の詳細な説明】
【技術分野】
【０００１】
本発明は、例えば、デジタル放送番組などのコンテンツデータを処理するのに好適な装置に関する。
【背景技術】
【０００２】
ＭＰＥＧ２の規格では、マルチプログラム対応の多重化及び分離化方式であるＭＰＥＧ−トランスポートストリーム（Transport Stream : 以下ＴＳと表記する）と、一つの映画や音楽やドラマの番組などを基本とするプログラムを蓄積メディアに記録するＭＰＥＧ−プログラムストリーム（Program Stream : 以下ＰＳと表記する）の２種類がある。
【０００３】
ＰＳは、ＭＰＥＧ−１と同様に１本のストリームの中に唯１つのプログラムを構成する。ＰＳは誤りの発生しない環境でのデータの伝送・蓄積に適用されることを想定しており、冗長度を小さくすることができることからＤＶＤなどの強力な誤り訂正符号を用いたディジタルストレージメディアで使用されている。
【０００４】
一方、ＴＳは、１本のストリームの中に複数のプログラムを構成することができるので放送などにも対応することができる。トランスポートストリームは放送や通信ネットワークなどデータの伝送誤りが発生する環境に適用されることを想定しており、冗長度はＰＳよりも大きくなっている。トランスポートストリームは伝送レートが固定の通信路で使用される（プログラムストリームは、可変のレートでも良い）。実用例としてはＣＳ、ＢＳディジタル放送、米国のＤＴＶ、そしてデジタルＶＴＲ等のシステムなどが挙げられる。
【０００５】
前述のPS形式のストリームを記録する場合の記録方式として、ビデオレコーディング方式（以下、VR方式と呼ぶ）がある。ビデオレコーディング方式とは、任意単位毎に編集・削除できるようにファイル構造が規格化されており、このファイル構造に基づいて、テレビジョン放送によって配信された情報本体などを受信して実時間に沿って光ディスク上に記録するとともに、当該情報本体に対応する再生制御情報（以下、VR管理情報とよぶ）を生成し、それを当該情報本体とは別ファイルとして記録媒体に記録するようになっている。このためVR方式は、当該ファイル構造により、記録されたコンテンツ情報の編集を容易に行うことができるようになっている。このようなVR方式を利用した記録に関する技術が、特許文献１に開示されている。
【０００６】
また、ＢＳデジタル放送等のＴＳ形式のストリームを、ＴＳ形式で記録しながら、さらにＴＳ形式のストリームをＤＶＤ等に記録するためにＰＳ形式に変換し記録する技術が、特許文献２に開示されている。
【０００７】
【特許文献１】特開２００３−２４２７２１号公報
【特許文献２】特開２００３−１１１０２３号公報
【発明の開示】
【発明が解決しようとする課題】
【０００８】
しかしながら、このようなＴＳ／ＰＳ形式の両方を同時に録画する並行録画においてＴＳ／ＰＳ形式のストリームデータ（ＴＳデータ、ＰＳデータ）の編集を行う場合、従来はＴＳ形式、ＰＳ形式のストリームを別々に記録するだけであり、これらの使い勝手については十分ではなかった。また、ＴＳ形式のストリームデータに関する編集などの使い勝手についても十分ではなかった。
【０００９】
そこで、本発明ではＴＳ／ＰＳ形式での並行録画における使い勝手を向上させることを第一の目的とする。また、ＴＳ形式のストリームデータに関する編集機能などの使い勝手を向上させることを第二の目的とする。
【課題を解決するための手段】
【００１０】
本発明は、上記第一の目的を達成するために、例えば、デジタル放送を記録するデータ記録装置において、トランスポートストリーム（ＴＳ）形式のデータとして外部から入力されたストリームデータを記録媒体に記録するための記録手段を備えるとともに、ＴＳ形式データに基づいてプログラムストリーム（ＰＳ）形式のデータを生成し、生成されたＰＳ形式のデータを記録媒体に記録する記録手段を備え、例えばストリームの編集やダビング時にはＰＳ形式のストリームを、例えばストリームの再生時にはＴＳ形式のストリームを記録手段から読み出して処理するように制御するようにしたものである。
【００１１】
具体的には、例えば、外部から入力されたコンテンツを第１のデータとして記録媒体に記録する第１の記録手段と、前記第１のデータから形式の異なる第2のデータを生成する生成手段と、前記第2のデータを前記記録媒体に記録する第2の記録手段と、前記コンテンツを再生する場合に前記第１のデータを前記記録媒体から出力するように制御し、前記再生以外の場合に前記第２のデータを前記記録媒体から出力するように制御する制御手段とを備えたものである。
【００１２】
また、ＰＳ形式ストリームデータを編集した場合は、該ＰＳ形式に関する編集情報が、ＴＳ形式のストリームデータ再生に反映されるようにしたものである。
【００１３】
具体的には、例えば、外部から入力されたコンテンツを第１の多重形式のストリームデータとして記録媒体に記録する第一の記録手段と、前記第１の多重形式のストリームデータから、前記第１の多重形式とは異なる第２の多重形式のストリームデータを生成する生成手段と、前記第２の多重形式のストリームデータを前記記録手段に記録する第２の記録手段と、前記第２の多重形式のストリームデータを編集する編集手段と、前記編集手段にて行われた前記第２の多重形式のストリームデータの編集結果を前記第１の多重形式のストリームデータに反映する反映手段とを備えたものである。
【００１４】
また、本発明は、上記第二の目的を達成するために、ＴＳ形式のストリームデータにその編集情報を設けることによりＴＳ形式のデータ編集が行えるようにしたものである。
具体的には、例えば、ＭＰＥＧ−ＴＳ形式で多重化されたストリームデータに対して編集情報を付加する編集情報付加手段と、前記ストリームデータを編集する編集手段と、前記編集手段にて編集された情報を前記編集情報に書き込む書込み手段と、前記ストリームデータと前記編集情報とを記録する記録手段とを備えたものである。
【発明の効果】
【００１５】
本発明によれば、ＴＳ／ＰＳ形式での並行録画における使い勝手を向上させることができる。また、ＴＳ形式のストリームデータに関する編集機能などの使い勝手を向上させることができる。
【発明を実施するための最良の形態】
【００１６】
以下、本発明の実施の形態を図面により詳細に説明する。
【実施例１】
【００１７】
図１は、本発明の一実施例に係るデータ記録装置の全体構成を示すブロック図である。
データ記録装置１は、ＨＤＤ２と例えばＤＶＤのようなリムーバブルなメディアをドライブするディスクドライブ装置３（以下ディスクドライブという）を有している。また、データ記録装置１は、デジタル入力部７、アナログ入力部２３、デジタルチューナ８、アナログチューナ２４、デコード部４、ストリームの記録、編集、再生を制御するＣＰＵ２０、ＨＤＤへの記録を行うＨＤＤコントローラ５、映像や音声データをＰＳストリームに圧縮するエンコーダと、圧縮されたＰＳストリームから映像や音声データに伸長するデコーダの両方の機能を備えているＭＰＥＧ−ＰＳコーデック部６を有していて、さらにメモリ２１、データバス１６、映像音声出力部２５からなる。
【００１８】
ここで、デコード部４は、送信局によって多重化され、暗号がかけられたストリームを多重分離し、暗号復号化するＴＳパーサー９と、符号化されたストリームを復号化するデコーダ１０、デジタル信号をアナログ信号に変換するＤＡＣ１１を備えている。また、ＨＤＤコントローラ部５は、ストリームの編集情報である管理情報をストリームに付加する管理情報付加手段２９、ストリームにコピー防止の暗号をかける暗号化手段１７、ＴＳストリームの編集処理を行う編集手段１９と、ＨＤＤインターフェース１８を、ＭＰＥＧ−ＰＳコーデック部６は、ＭＰＥＧ−ＰＳエンコーダ１３、ＭＰＥＧ−ＰＳデコーダ１５、ディスクドライブインターフェース１４を備えている。
【００１９】
本実施例は、ユーザが選択したデジタルチューナ８からのコンテンツをＴＳ形式とＰＳ形式との両方でＨＤＤ２へ録画させるものであるが、まず、デジタルチューナ８からＨＤＤ２へＴＳ形式のストリームで記録する場合について説明する。このＴＳ形式は、複数の番組を配信する放送システム等で利用され、その受信機やデジタルＶＴＲなどでも利用される。例えば、ハイビジョン放送などの高画質画像伝送に用いられる形式であるので、この形式で録画することによって、高画質画像再生を実現することができる。
【００２０】
図示しないアンテナ等によって受信したデジタル放送信号は、デジタル入力部７を経由してデジタルチューナ８へ出力される。デジタルチューナ８は復調、誤り訂正処理を行い、ＴＳパーサー９にＴＳ形式の多重ストリームを出力する。ＴＳパーサー９では、このストリームの多重分離を行い、さらに送信局にて暗号がかけられている場合には暗号復号化を行う。この処理が行われたストリームは、ＨＤＤコントローラ部５内の管理情報付加手段２９に送られる。管理情報付加手段２９では、このストリームにストリームの編集情報であるＴＳ管理情報が付加される。尚、ＴＳ管理情報については後述する。ＴＳ管理情報が付加されたストリームは、暗号化手段１７でコピー防止のための暗号がかけられたのちにＨＤＤインターフェース１８を経由して、その出力がＨＤＤ２に送られ、記録される。以上のように、デジタルチューナ８からのＴＳストリームは、そのままの形式でＨＤＤ２に記録されることになる。この記録形態を利用することにより、ＨＤＤ録画された番組の高画質再生が可能となる。また、ＨＤＤは大容量であり、転送レートが高いため、ＴＳに含まれる情報全てを高速にかつ長時間の情報を記録することができる。
【００２１】
次に、デジタルチューナ８からＨＤＤ２へＰＳ形式で記録する場合について説明する。
アンテナによって受信し、デジタル入力部を経由したデジタル放送信号をデジタルチューナ８は復調、誤り訂正処理を行い、ＴＳパーサー９に出力する。ここで、デジタルチューナ８からのＭＰＥＧストリームは、ＴＳ形式の多重ストリームである。ＴＳパーサー９では、この信号を多重分離し、送信局にてストリームに暗号がかけられている場合には暗号復号化を行い、この信号はデコーダ１０に送られる。デコーダ１０で復号化された信号はＤＡＣ１１にてアナログ信号に変換され、ＭＰＥＧ−ＰＳコーデック入力部１２を介して、ＭＰＥＧ−ＰＳコーデック６内のＭＰＥＧ−ＰＳエンコーダ１３に送られる。ＭＰＥＧ−ＰＳエンコーダ１３は、この信号をＰＳ形式のストリームに符号化するとともに、このストリームの編集情報であるＶＲ管理情報を付加する。そして、ＶＲ管理情報が付加されたＰＳストリームはディスクドライブインターフェース１４、データバス１６、ＨＤＤインターフェース１８を介して、ＨＤＤ２に記録される。このようにして、デジタルチューナ８にて受信したTS形式ストリームは、ＰＳ形式に変換されて、ＨＤＤ２に記録されることになる。なお、前述の一連の処理の中で、ＤＡＣ１１によってデジタル信号をアナログ信号に変換したが、この処理後に映像信号の画質調整を行ってもよい。例えば、輪郭強調、明るさ補正、コントラスト調整等のアナログ画質調整である。また、この実施例ではＴＳ形式からＰＳ形式への変換は、デジタル放送をアナログ信号にダウンコンバートしてからＰＳ形式にエンコードするが、図１の点線で表すようにＴＳ／ＰＳコンバータを２７用いて、デコード部からＨＤＤコントローラ部へデジタル信号のままＴＳ形式からＰＳ形式に変換してもよい。この時は、ＨＤＤコントローラ部内の管理情報付加手段２９によってこのＰＳストリームにＶＲ管理情報が付加される。
【００２２】
このように、ＰＳ形式での記録には、ストリームの編集の容易なVR記録方式を用いることができる。よって、ＰＳ形式で記録を行うとストリームの編集が容易になるというメリットがある。さらに、この形式での記録は、ＤＶＤ等の蓄積メディアに高速ダビングすることにも適している。ここで、高速ダビングとは、ストリームの通常再生時間より数倍短縮された時間でＨＤＤからＤＶＤ等へデータをコピーすることを言う。ＨＤＤへＴＳ形式にて記録した場合、ＤＶＤの記録形式がＰＳ形式であるのでＴＳ形式のデータをＰＳ形式に変換するステップが必要となり、高速でのダビングは困難となる。
【００２３】
次に、本データ記録装置では、ＴＳ形式とＰＳ形式の両方式でＨＤＤに並行録画した場合、ユーザから選択された機能に応じてＴＳ形式のストリームとＰＳ形式のストリームとを使い分けるよう制御する。例えばＤＶＤへダビングする際には、高速ダビングが可能なＰＳ形式のストリームをＨＤＤから出力する。また、ストリームの編集の際にも編集に容易な形式であるＰＳ形式のストリームをＨＤＤから出力する。一方、ストリームの表示の際は高画質表示の可能な形式であるＴＳ形式のストリームをＨＤＤから出力して表示する。
【００２４】
すなわち、ユーザが所望の番組（コンテンツ）の録画を行う場合、データ記録装置が自動的にＰＳ形式とＴＳ形式の両方を並行記録する。そして、この録画結果を表示する場合、ＰＳ形式とＴＳ形式の両方を表示することはせず、単に録画したコンテンツ名を表示させるだけとし、ユーザには所望のコンテンツを録画したことのみを意識させる。そして、データ記録装置が、ユーザの選択した機能（編集、ダビング、表示）に応じてＰＳ形式とＴＳ形式のストリームを自動的に使い分けて出力し、ユーザにＰＳ形式かＴＳ形式かを意識させることなく最適な環境を提供する。ユーザにとってはＰＳ形式なのかＴＳ形式なのかを区別する煩わしさがないばかりか、その選択機能において、例えばダビングの際の高速化や、編集の際の容易さや、再生の際の高画質表示を得ることができる。
【００２５】
次に、ユーザはＴＳ形式とＰＳ形式の区別なく、単なる１つのコンテンツとして意識しているので、ＰＳ形式のストリーム編集を行った場合はその編集結果をＴＳ形式のストリームに反映し、再生時にはその反映結果を出力することが重要になってくる。本実施例に限らず、ＴＳ形式とＰＳ形式との両方を並行録画し、ユーザがその両方を録画したことを意識している場合、例えばその両方を録画結果として表示するような場合であっても使い勝手を向上させる上で重要となってくる。
【００２６】
すなわち、ＨＤＤに記録されたＴＳ形式の内容をユーザが編集して、ハイビジョン等の高画質で視聴できればユーザにとっては好ましいことである。しかし、ＴＳ形式のストリームを直接編集するのは、ＴＳ形式のストリームが通信メディアを考慮したデータ構造を有しているため、困難なことである。そこで、本実施例では、高画質再生が可能なＴＳ形式と、編集の容易なＰＳ形式の両方式でＨＤＤに並行録画したメリットを活かし、ＰＳ形式のストリームを編集の際に使用し、編集したＰＳ形式のストリームの編集内容をＴＳ形式再生に反映させることで、ユーザに対して結果的に編集されたＴＳ形式の高画質ストリームを提供することとした。この手法により、容易な編集と高画質再生を同時に実現することができる。
【００２７】
このストリームデータ（ＰＳデータ、ＴＳデータ）の編集、再生について詳述する。
まず、ＨＤＤ２に記憶されたＰＳデータの編集に関して説明する。リモコン２２によって、ユーザから編集の指示があると、目的のＰＳ形式のストリームは、ＨＤＤインターフェース１８、データバス１６、ディスクドライブインターフェース１４を介して読み出され、ＭＰＥＧ−ＰＳデコーダ１５にて復号化され、一旦メモリ２１に保存される。そして、ユーザは、リモコンを通してチャプタ作成、分割、削除、追加、並べ替え等の編集を行う。ＣＰＵはメモリに一時保存されていた信号を編集情報に沿うように書き換える。この時、ＰＳデータの編集情報を管理しているＶＲ管理情報もＰＳ形式のストリームと同様にＨＤＤ２から読み出され、該編集情報に基づいて書き換えられる。編集後の信号及び、ＶＲ管理情報は、ＭＰＥＧ−ＰＳコーデック入力部６を経由し、ＭＰＥＧ−ＰＳエンコーダ１３にて符号化され、ディスクドライブインターフェース１４、データバス１６、ＨＤＤインターフェース１８を介して、ＨＤＤ２に再記録される。以上のようにして、ＰＳデータの  編集が行われる。
【００２８】
次に、前述のように行われたＰＳデータの編集をＴＳ再生に反映させる過程を説明する。ユーザから編集を行ったコンテンツ（ストリーム）の再生指示があると、データ記録装置では、前述の如く、ＴＳ形式のストリームを再生すべく、ＨＤＤインターフェース１８を介してＨＤＤ２から編集手段にＴＳデータが読み出される。ここで、ＣＰＵ２０の制御のもと、ＴＳデータの編集情報を管理しているＴＳ管理情報も同様にＨＤＤ２から読み出され、また選択された同一コンテンツに関するＶＲ管理情報もＨＤＤから読み出される。具体的には、並行録画した同一コンテンツに対するＰＳ形式とＴＳ形式のストリームとを関係付けて記憶することで、関連するＰＳ形式のストリームの有するＶＲ管理情報を読み出す。
【００２９】
そして、そのＶＲ管理情報に基づき、ＴＳ管理情報における編集対応部分の書き換えが行われる。編集手段１９にてＴＳ管理情報の更新がなされたＴＳデータは、デコード部４のＴＳパーサー９に送られる。そして、デコーダ１０で映像信号、音声信号に復号化され、ＤＡＣ１１にてアナログ信号に変換された後に、映像音声出力部２５より出力再生される。映像音声出力部２５から出力再生された信号はテレビ等の受像装置２８で表示される。例えば、ＰＳ形式のストリームに対してチャプタ編集をした場合、その編集結果がＴＳ管理情報にも設定されるので、その管理情報に基づき、ＴＳ表示においても例えば選択されたチャプタの表示などが行える。
【００３０】
以上のようにして、ＰＳデータ編集結果に対応したＴＳデータ編集が行われ、そのＴＳデータ編集結果に基づいてストリームのＴＳ再生が行われる。このように直接編集することの困難なＴＳデータであっても、ＰＳ形式の編集を反映させることによって、ＴＳ再生することができる。なお、この実施例では、ＴＳデータ再生時にＶＲ管理情報をＴＳ管理情報に反映させているが、ＰＳデータ編集完了時にＶＲ管理情報をＴＳ管理情報に反映させてもよい。
【００３１】
前述の編集機能と、編集反映機能について図３、４を用いてさらに詳述する。ここでは、チャプタ設定および削除の例を説明する。
図３は、本実施例におけるＴＶ放送番組コンテンツデータのチャプタの一例を表す図である。図３の４１は番組録画後のチャプタを示している。図４の(a)は、チャプタ１、チャプタ２、チャプタ３からなるＰＳストリームであり、図４の(b)はこれに対応して並行録画されたＴＳストリームである。図４の(c)はＰＳストリームの編集情報等が管理されているＶＲ管理情報の詳細であり、図４の(d)はＴＳストリームの編集情報等を管理しているＴＳ管理情報の詳細を表している。ＶＲ管理情報５４は、コンテンツ情報の再生態様を制御するための再生制御情報であり、情報テーブルのＶＲ管理情報内における格納位置等を管理するナビゲーション総合情報５６と、オブジェクトファイル情報テーブル５７と、記録当初においてどのような順序でどのようなコンテンツ情報が対応するビデオオブジェクト（ＶＯＢ）として記録されたかを示すオブジェクト記録シーケンス情報５８と、記録済みのコンテンツの全部又は一部を相互に組み合わせて論理的に再生するためにユーザが１又は複数生成して記録する再生手順情報である設定再生シーケンス情報５９と、上述した各ナビゲーション情報以外に再生制御に必要な情報である他のナビゲーション情報６０と、から構成される。
【００３２】
さらに、オブジェクトファイル情報テーブル５７は、記録されるコンテンツの種類及び当該種類に関連する属性情報等であるオブジェクトファイル属性情報６１と、各コンテンツの再生開始時刻及び再生終了時刻、すなわちコンテンツの先頭を起算点とした各コンテンツの再生開始時刻及び再生終了時刻、並びに、それに関連する情報等（チャプタ総数やチャプタＩＤ）であるオブジェクトファイル情報６２と、により構成される。
【００３３】
一方、TS管理情報５５は、録画された番組に関する情報が記載されている録画番組情報エリア６３と、番組編集に関する情報が記載されているチャプタデータエリア６４とを有している。このチャプタデータエリア６４は、録画ファイル毎にユニークなＩＤである録画タイトルＩＤ６５、設定済みチャプタの番号であるチャプタＮＯ６６、チャプタポイントの静止がファイル名策定用の変数であるチャプタＩＤ６７、チャプタポイントの位置をフレームで示すチャプタ位置６８（チャプタの開始時刻と終了時刻）、そして再生時にそのチャプタをスキップするかどうかのフラグであるチャプタスキップフラグ６８を有している。
【００３４】
ユーザはコンテンツ録画後に、図３の４２のようにユーザの好みの場所で１つの番組を複数のチャプタに区切るようにリモコン２２により作業を行い、チャプタが設定される。このとき、ＰＳ形式のストリームの編集情報であるＶＲ管理情報５４が書き換えられる。具体的には、オブジェクトファイル情報６２に書かれているチャプタの開始時刻と終了時刻とチャプタＮＯとチャプタＩＤ等の情報が更新される。なお、このようなチャプタ設定を行うと、番組をユーザの好みの箇所からすばやく再生できるなどのメリットがある。一方、チャプタの削除の動作も同様であり、チャプタを削除するようにリモコン２２より作業を行い、チャプタ削除を行う。チャプタの削除の指示がユーザからなされると、ＰＳ形式にて記録されたストリームのチャプタが削除される。この時も、ＶＲ管理情報５４内のオブジェクトファイル情報６２が書き換えられる。また、チャプタ削除操作により設定再生シーケンス情報５９が削除されたチャプタを飛ばして再生するように書き換えられる。
【００３５】
次に、ユーザによってチャプタ設定されたコンテンツの再生指示を受け付けると、前述の通り、ＰＳ形式の編集されたストリームを再生するのではなく、ＰＳ形式での編集結果が反映されたＴＳ形式のストリームが再生され、高画質なＴＳ再生をユーザは楽しむことができる。
【００３６】
まず、編集されたチャプタの再生指示がなされると、このＰＳ形式の編集をＴＳ形式のデータに反映させるために、ＣＰＵはＴＳデータの編集情報を管理しているＴＳ管理情報５５を該ＶＲ管理情報５４に基づいて書き換える。具体的には、ＰＳ管理情報（ＶＲ管理情報）にあるオブジェクトファイル情報６２に書かれているチャプタの開始時刻と終了時刻に基づいて、ＴＳ管理情報におけるチャプタの開始時刻と終了時刻とを示すチャプタ位置６８を書き換える。ＰＳ管理情報（ＶＲ管理情報）における時間とＴＳ管理情報における時間とは同一のものを使用することにより、単に各時刻をコピーするだけで良い。一方、その時間単位が相違する場合は、その相違に合わせた変換が必要となることは言うまでもない。
【００３７】
さらにまた、ＴＳ管理情報にあるチャプタＮＯ６６、チャプタＩＤ６７も、ＰＳ管理情報（ＶＲ管理情報）のオブジェクトファイル情報６２内にかかれているチャプタＮＯ、チャプタＩＤに対応させて書き換える。
このように書き換えられたＴＳ管理情報を用いることによって、チャプタ設定されたコンテンツのＴＳ再生を行う。
【００３８】
次に、例えばチャプタ２の削除の指示がユーザからなされた場合を説明する。
ＰＳ形式にて記録されたストリームのチャプタ２が削除されると、それに対応してＰＳデータの編集情報を管理しているＶＲ管理情報５４が前述のように書き換えられる。そして、このＰＳデータに対応しているＴＳデータの再生指示がなされると、ＣＰＵはＴＳデータの編集情報を管理しているＴＳ管理情報５５を該ＶＲ管理情報５４に基づいて書き換える。この場合、ＴＳ形式のストリーム自身を削除することは無く、ＶＲ管理情報５４内の再生するチャプタが設定されている設定再生シーケンス情報５９を基に、削除されたチャプタを判別し、ＴＳ管理情報５４内のチャプタスキップフラグ６９にチャプタ２をスキップするというフラグが立てられる。この場合、ＴＳ管理情報内のチャプタＮＯ６６，チャプタＩＤ６７、チャプタ位置６８（チャプタの開始時刻と終了時刻）は書き換えない。
【００３９】
このようにチャプタスキップフラグ６９が書き換えられたＴＳ管理情報を用いることによって、ＴＳデータ再生時には、ＰＳ形式のチャプタ２に対応する部分がスキップして再生される（図４）。ここでいうスキップとは、実際に対応箇所が削除されているわけではなく、再生時にとばして再生することをいう。なお、実際にＴＳ形式のストリームを削除してもよいが、本実施例では管理情報の処理のみでスキップ操作ができるという点からストリームの実体削除は行っていない。
【００４０】
ところで、ＴＳ形式ストリームの編集においては、何枚かの画面を一まとまりにしたグループオブピクチャ（Group of picture ：以下ＧＯＰ）単位で編集、例えばチャプタ設定を行うことが必要となる。従って、前述のＰＳデータのＶＲ管理情報をＴＳ管理情報に単に反映させただけでは、ユーザがＧＯＰの途中でチャプタ設定する場合が生じ、再生時にブロックノイズが発生してしまう。そこで、本実施例では、より近いＧＯＰの境界の画面データの位置がチャプタポイントになるように演算処理して設定を行うように制御する。具体的には、ＧＯＰは0.5秒単位であるので、チャプタ開始時刻が、例えばコンテンツ開始から40.2秒であれば、40.0秒の位置をチャプタの開始時刻に設定する。なお、より近い境界の画面データではなく処理の簡便さを考えて、次のＧＯＰの境界の画面データに繰り上げたり、１つ前のＧＯＰの境界の画面データに繰り下げるように演算処理して設定を行うように制御しても良い。
このようにして、ＰＳ形式で編集したコンテンツを高画質なＴＳ形式に反映して再生することができる。また、ブロックノイズのないＴＳ再生を実現することもできる。
【００４１】
図５は、本実施例におけるＴＶ放送番組コンテンツデータのチャプタ設定画面の一例を示す図である。ここでは、この図を用いてチャプタ設定動作の一例を示す。チャプタ設定画面には、再生中のモードが表示される再生マーク７１、再生されている画面が表示される再生画面７２、現在時刻が表示される領域７３、再生中の時間を表す領域７４、再生中の位置を示す再生ポイント７５、スキップ設定されているシーンを表示するマーク７６、チャプタとチャプタとの境界位置を表示するチャプタポイント７７、番組の録画時間７８、図示しないリモコンのカーソルボタンにて選択されたポイントを太枠で表示する選択表示７９、スキップ設定されたシーンをアイコンで表示するスキップマーク８０、登録されているチャプタ開始画面が表示されているチャプタ開始画面８１、が表示されている。ここで、ユーザからリモコン２２よりチャプタ作成の指示があると、チャプタ設定画面（図５）が表示される。次に、ユーザは図示しないリモコンボタン（再生、サーチ/スロー、一時停止、スキップ/コマ送り等）を使って、再生画面７２に表示される番組中のチャプタ設定したい場面を選択する。そして、図示しないリモコンの決定ボタンを押すことで選択した場面がチャプタポイント７７として登録される。
【００４２】
次に、図６はHDDに記録したストリームのチャプタ一覧表示画面の例である。この画面にはＰＳ形式のストリームが表示されており、この図を用いてチャプタの削除を行う動作の一例を示す。チャプタ一覧表示画面には、録画番組の日付、開始時間、録画時間、チャンネルを表示する領域９１、録画モード、番組タイトルを表示する領域９２、現在時刻を表示する領域９３、各チャプタを表示するチャプタ表示領域９４、選択したチャプタの番号と時間を表示する領域９５、そして、ページを切換えるバーを表示する領域９６が表示されている。まず、リモコン２２からの指示によりチャプタ一覧画面（図６）が表示される。次に、ユーザがリモコン２２を用いてチャプタ表示領域９４から削除したいチャプタを選択し、チャプタは削除される。
【００４３】
これらの作業によりユーザが求めるチャプタが編集・削除される。このように行われる編集処理はＰＳ形式のストリームの編集であり、本実施例ではこの編集が図４を用いて説明したようにＴＳ再生に反映される。
【００４４】
図２は、デジタル放送をＴＳ形式とＰＳ形式との両方式にて並行録画する時の記録モード選択画面の例である。この画面では、各ユーザは自分の嗜好に応じて記録モードを選択することができる。同図に示す「録画モード/残量」表示画面には、ユーザが選択する各録画モード項目３１と、その録画モードを選択した場合の可能録画時間３２、画質を表す表示３３、そして、ＨＤＤの残量表示バー３４が表示されている。ここで、画質を表す表示３３のＨＤは高画質再生が、ＳＤは標準画質再生が可能なことを意味している。また、３１に示されている各録画モードは、録画ストリームの種類が異なっている。ＴＳＸモードはストリームをＴＳ形式とＰＳ形式の両形式で記録するモードであり、ＴＳモードはＴＳ形式で記録するモード、ＸＰ、ＳＰ、ＬＰ、ＥＰモードはＰＳ形式にて録画するモードである。更に、ＸＰ、ＳＰ、ＬＰ、EPモードの違いは録画時のビットレートの差であり、ＸＰ、ＳＰ、ＬＰ、ＥＰモードの順で高ビットレートによる録画がなされ、高画質再生が可能である。しかし、低ビットレートによる録画の方が、録画可能時間は長くなるので、最長時間録画ができるのは、EPモードである。そして、各モードの選択には図１のリモコン２２が用いられ、図２のカーソル３５を上下させ目的のモードを決定する。ユーザがＴＳ形式、ＰＳ形式の並行録画を選択したい場合は、ＴＳＸモードを選択することになる。
【００４５】
図７は、図１に記載のデータ記録装置１における、デジタル放送番組のコンテンツデータをＴＳ、ＰＳ形式で並行記録し、これを編集、そしてＴＳ再生する一例を示すフローチャートである。
図７において、ユーザから図２で示したデジタル放送録画モード選択について、ＴＳＸモードを選んだかどうか、つまり、ＴＳ、ＰＳの並行録画の要求があったかどうかをチェックする（Ｓ１０１）。このチェックの結果、ＴＳ、ＰＳの並行録画の要求があったことを認識すると（Ｓ１０１でYES）、ＴＳ、ＰＳ形式の両方式で並行録画が行われる（Ｓ１０２）。次に、ユーザがその録画が行われたストリームの編集を行うかどうかのチェックをする（ステップS1）。このチェックの結果、編集要求があることを認識すると（Ｓ１０４でYES）、図５で説明したように上記コンテンツデータの編集処理が行われ（Ｓ１０５）、編集ストリームの情報はＴＳ再生に反映され高画質再生が行われる（Ｓ１０６）。
【００４６】
一方、Ｓ１０１のチェックの結果NOと認識された場合、ＴＳ、ＰＳいずれか一方のみのストリームで録画され、またＳ１０４のチェックの結果ＮＯと認識された場合編集は行われず、これらは共にＰＳ編集のＴＳ再生への反映は行われない（Ｓ１０７）。
【００４７】
以上説明したように、本実施例においては、ＰＳ形式、ＴＳ形式のストリームを記録媒体に並行録画し、ストリームの編集やダビング時にはＰＳ形式のストリームを、ストリームの再生時には、ＴＳ形式のストリームを記録媒体から出力して用いるように自動制御した。このように、各動作に好適なストリームを自動で出力することにより、ユーザはＴＳ、ＰＳを意識せずに使い勝手のよい操作をすることができる。
【００４８】
また、ＰＳ形式のデータを編集する際には、該編集情報が、ＴＳ形式のデータ再生時に反映されるようにした。これにより、ユーザは編集が行われたストリームを高画質なＴＳ再生で楽しむことができる。特に、ＧＯＰの単位毎に編集しなければならないことを考慮し、ＰＳ管理情報（ＶＲ管理情報）に設定されたチャプタ位置情報からＴＳ管理情報を設定するようにした。
さらに、本実施例ではＰＳ形式のストリームの編集をＴＳ形式のストリームの再生に反映させたが、各番組ＩＤと各チャプタＩＤを関連付けた前述のＴＳ管理情報を直接編集することも可能である。この場合も同様に、ＧＯＰの単位毎に編集しなければならないことを考慮して、ユーザの設定したＴＳ管理情報のチャプタ位置情報をＧＯＰ単位の位置情報に設定する。これによりブロックノイズのない高画質な再生を楽しむことができる。この場合、ＴＳ管理情報自身が複雑となる。従って、これらを考慮すると、ＰＳ管理情報（ＶＲ管理情報）を介してＴＳ管理情報を書き換える手法の方が簡便で良い。
また、この実施例では、ユーザの再生指示があると自動でＴＳ再生を行うが、ユーザがＴＳ形式もしくはＰＳ形式の再生を選択するように構成しても良い。
また、デコード部からのデジタル信号のまま外部機器に出力する外部機器出力部２６を備えていてもよい。該外部機器出力部２６から出力される信号は、ＴＳ形式で記録されたストリームと、ＰＳ形式での編集情報が反映されたＴＳ管理情報も含む。例えば、ＨＤＤに保存されていたＴＳストリームを外部機器にダビングする場合などである。このとき著作権保護ために、コピーが一回のみ可能と設定されたデジタル録画番組では、ダビングではなくデータの移動（ムーブ）となり、ＨＤＤのデータは消去される。
さらに、テレビ等の受像装置２８は、データ記録装置１と一体であってもよい。
【実施例２】
【００４９】
図８は、本実施例におけるＴＶ放送番組のコンテンツデータの編集の一形態であるプレイリスト編集を行う画面の一例を示す図である。プレイリストとは、編集の一形態であり、録画した映像からユーザの好みのシーンを集めたものである。ここで、プレイリストにはユーザが選択したチャプタごと、または録画番組まるごとでも登録することができる。ユーザがプレイリスト編集をリモコンにより指示すると、プレイリスト編集画面（図８）が表示される。プレイリスト編集画面は、現在時刻１１１、選択元の番組の各チャプタの開始画面が表示されている選択元番組表示領域１１２、選択元番組のチャンネル、日時、録画モード、タイトルが表示されている選択元番組情報領域１１３、作成されたプレイリストが表示される作成プレイリスト領域１１４、作成プレイリストの時間が表示される領域１１５、が表示されている。ユーザはリモコン２２を用いて選択元番組表示領域１１２の中から、プレイリストに登録したいチャプタまたは録画番組をリモコンより選択する。この動作によってプレイリスト登録が行われる。また、プレイリストは追加・削除もすることができる。
【００５０】
このようにして登録されたプレイリストを表示したのが図９に示すプレイリスト一覧画面である。プレイリスト一覧画面は、現在時刻１２１、プレイリスト表示１２２、プレイリストタイトル表示１２３、プレイリスト作成日時１２４、プレイリスト再生日時１２５、ページを切換えるバーを表示する領域１２６、が表示されている。ユーザはプレイリスト表示１２２の中から再生したいものを選択し、再生することができる。このプレイリスト再生は、目的の１つのプレイリストを再生してもよいし、全プレイリストを連続的に再生してもよい。またユーザが選択した数種類のプレイリストを再生してもよい。例えば、プレイリスト１と７と４を選択したら、プレイリスト１→７→４の順に連続的に再生するものである。このプレイリスト編集は、ＰＳデータの編集であるので、図４で説明したようにＴＳ再生に編集情報を反映させれば、プレイリストの再生をＴＳ再生できる。よって、プレイリスト再生を高画質で楽しむことが可能である。
【実施例３】
【００５１】
図１０は、編集処理の一形態である記録ストリームの自動ＣＭスキップ再生を表した図である。図１で説明した編集処理は、ユーザが直接リモコンを用いて編集操作を行うものであった。しかし本形態では、ひとたびＣＭ自動カットの設定を行えば、自動で放送のＣＭ部分をスキップするものである。例えば、映画番組においては、本編１３１は二ヶ国語音声で、ＣＭ部分１３２はステレオ音声で放送されている。このような本編とＣＭ部分との音声の違いを、図１のデコーダ１にて復調され音声情報から、ＣＰＵが判定して、これに基づいて、自動でＰＳデータの編集処理を行うものである。ＰＳデータの編集処理、そして、該編集情報のＴＳ再生への反映処理は、図４の説明と同様である。この処理によって、ユーザが直接ＣＭ部分を削除するなどの手間が省け、ＣＭカットされた番組を高画質に視聴することができる。また、この例では二カ国後音声とステレオ音声の違いに基づいてＣＭスキップする編集処理を説明したが、音声情報はなんらかの違いあればよく、これに基づいて自動で行う編集処理もＣＭ削除でなくともよい。
【００５２】
以上、本発明の好適な実施例、及びその変形例を説明したが、これらは本発明の説明のための例示であって、本発明の範囲をこの実施例に、及び変形例にのみ限定する趣旨ではない。本発明は、他の種々の携帯でも実施することが可能である。
【図面の簡単な説明】
【００５３】
【図１】本発明の一実施形態に係るデータ記録装置の全体構成を示すブロック図である。
【図２】本実施形態におけるＴＶ放送番組コンテンツデータの記録モード設定画面の一例を示す図である。
【図３】本実施形態におけるＴＶ放送番組コンテンツデータのチャプタの一例をあらわす図である。
【図４】本実施形態における、ＴＶ放送番組のコンテンツデータの編集、再生動作の一例を説明するための図である。
【図５】本実施形態におけるＴＶ放送番組コンテンツデータのチャプタ設定画面の一例を示す図である。
【図６】本実施形態におけるＴＶ放送番組コンテンツデータの編集画面の一例を示す図である。
【図７】本実施形態におけるＴＶ放送番組のコンテンツデータの編集、再生動作の一例を示すフローチャートである。
【図８】本実施形態におけるＴＶ放送番組のコンテンツデータのプレイリスト編集画面の一例を示す図である。
【図９】本実施形態におけるＴＶ放送番組のコンテンツデータのプレイリスト一覧画面の一例を示す図である。
【図１０】本実施形態におけるＣＭ自動スキップ編集の一例を説明するための図である。
【符号の説明】
【００５４】
１  データ記録装置
２  ＨＤＤ
３  ディスクドライブ
４  デコード部
５  ＨＤＤコントローラ部
６  ＭＰＥＧ−ＰＳ  ＣＯＤＥＣ部
７  デジタル入力部
８  デジタルチューナ
９  ＴＳパーサ
１０  デコーダ
１１  ＤＡＣ
１２  ＭＰＥＧ−ＰＳ  ＣＯＤＥＣ入力部
１３  ＭＰＥＧ−ＰＳ  エンコーダ
１４  ディスクドライブＩ／Ｆ
１５  ＭＰＥＧ−ＰＳデコーダ
１６  データバス
１７  暗号化手段
１８  ＨＤＤ  Ｉ／Ｆ
１９  編集手段
２０  ＣＰＵ
２１  メモリ
２２  リモコン
２３  アナログ入力部
２４  アナログチューナ
２５  映像音声出力部
２６  外部機器出力部
２７  ＴＳ／ＰＳコンバータ
２８  受像装置
２９  管理情報付加手段
【図１】
2006086670.tif 000003
【図２】
2006086670.tif 000004
【図３】
2006086670.tif 000005
【図４】
2006086670.tif 000006
【図５】
2006086670.tif 000007
【図６】
2006086670.tif 000008
【図７】
2006086670.tif 000009
【図８】
2006086670.tif 000010
【図９】
2006086670.tif 000011
【図１０】
2006086670.tif 000012